(57)【要約】【課題】現像剤シール部材の開封操作用把手を小さい力で切り離すことが可能で、且つ、物流時の衝撃等による破損を抑制することができるプロセスカートリッジを提供すること。【解決手段】プロセスカートリッジにおいて、電子写真感光体ドラムと、現像手段と、現像剤収納枠体と、前記現像剤収納枠体に設けられた現像剤供給開口と、前記現像剤供給開口を開放可能に封止する現像剤シール部材と、前記現像剤供給開口を開放するために前記現像剤シール部材を除去する際に把持する把手であって、前記現像剤シール部材の一端が取付けられており、前記現像剤収納枠体から切り離し可能に前記現像剤収納枠体と一体に成形された把手と、前記把手と前記現像剤収納枠体を繋ぐ連結部と、前記連結部に設けられた貫通穴と、を有し、前記把手は、前記貫通穴の部分で前記現像剤収納枠体から切り離し可能であることを特徴とする。【選択図】図１
2006078885.tif 000002
【特許請求の範囲】
【請求項１】
電子写真画像形成装置本体に着脱可能なプロセスカートリッジにおいて、
電子写真感光体ドラムと、前記電子写真感光体ドラムに形成された静電潜像を現像するための現像手段と、前記現像手段によって前記静電潜像の現像に用いられる現像剤を収納する現像剤収納枠体と、前記現像剤収納枠体に収納された現像剤を前記現像手段へ供給するために、前記現像剤収納枠体に設けられた現像剤供給開口と、前記現像剤供給開口を開放可能に封止する現像剤シール部材と、前記現像剤供給開口を開放するために前記現像剤シール部材を除去する際に把持する把手であって、前記現像剤シール部材の一端が取付けられており、前記現像剤収納枠体から切り離し可能に前記現像剤収納枠体と一体に成形された把手と、前記把手と前記現像剤収納枠体を繋ぐ連結部と、前記連結部に設けられた貫通穴と、を有し、前記把手は、前記貫通穴の部分で前記現像剤収納枠体から切り離し可能であることを特徴とするプロセスカートリッジ。
【請求項２】
前記把手は、前記貫通穴の縁に沿って前記現像剤収納枠体から切り離し可能であることを特徴とする請求項１記載のプロセスカートリッジ。
【請求項３】
前記連結部は前記把手より薄い薄肉部を有し、前記把手は前記薄肉部から前記貫通穴の部分を通って前記現像剤収納枠体から切り離されることを特徴とする請求項１又は２記載のプロセスカートリッジ。
【請求項４】
電子写真画像形成装置に用いられる現像装置において、
電子写真感光体ドラムに形成された静電潜像を現像するための現像手段と、前記現像手段によって前記静電潜像の現像に用いられる現像剤を収納する現像剤収納枠体と、前記現像剤収納枠体に収納された現像剤を前記現像手段へ供給するために前記現像剤収納枠体に設けられた現像剤供給開口と、前記現像剤供給開口を開放可能に封止する現像剤シール部材と、前記現像剤供給開口を開放するために前記現像剤シール部材を除去する際に把持する把手であって、前記現像剤シール部材の一端が取付けられており、前記現像剤収納枠体から切り離し可能に前記現像剤収納枠体と一体に成形された把手と、前記把手と前記現像剤収納枠体を繋ぐ連結部と、前記連結部に設けられた貫通穴と、を有し、前記把手は、前記貫通穴の部分で前記現像剤収納枠体から切り離し可能であることを特徴とする現像装置。
【請求項５】
前記把手は、前記貫通穴の縁に沿って前記現像剤収納枠体から切り離し可能であることを特徴とする請求項４記載の現像装置。
【請求項６】
前記連結部は前記把手より薄い薄肉部を有し、前記把手は前記薄肉部から前記貫通穴の部分を通って前記現像剤収納枠体から切り離されることを特徴とする請求項４又は５記載の現像装置。
【発明の詳細な説明】
【技術分野】
【０００１】
本発明は、電子写真画像形成装置本体に着脱可能なプロセスカートリッジ及び電子写真画像形成装置に用いられる現像装置に関するものである。ここで、電子写真画像形成装置とは、電子写真画像形成方式を用いて記録媒体に画像を形成するものである。電子写真画像形成装置の例としては、例えば、電子写真複写機、電子写真プリンタ（例えばレーザプリンタ、ＬＥＤプリンタ等）、ファクシミリ装置及びワードプロセッサ等が含まれる。
【０００２】
又、プロセスカートリッジとは、帯電手段、現像手段またはクリーニング手段と電子写真感光体とを一体的にカートリッジ化し、このカートリッジを電子写真画像形成装置本体に対して着脱可能とするものである。又は、帯電手段、現像手段、クリーニング手段の少なくとも１つと電子写真感光体とを一体的にカートリッジ化して電子写真画像形成装置に着脱可能とするものである。
【背景技術】
【０００３】
従来、電子写真画像形成プロセスを用いた画像形成装置において、電子写真感光体及び電子写真感光体に作用するプロセス手段を一体的にカートリッジ化して、このカートリッジを電子写真画像形成装置本体に着脱可能とするプロセスカートリッジ方式が採用されている。このプロセスカートリッジ方式によれば、装置のメンテナンスをサービスマンによらずにユーザー自身で行うことができるので、格段に操作性を向上させることができる。そこで、このプロセスカートリッジ方式は、電子写真画像形成装置において広く用いられている。
【０００４】
この種のプロセスカートリッジは、現像剤を収納する現像剤収納枠体を有する。現像剤収納枠体は、現像部材を支持する現像枠体へ現像剤を排出するための現像剤供給開口が設けられるが、プロセスカートリッジを運搬するときに現像剤が漏れないように、現像剤供給開口は現像剤シール部材で覆われている。この現像剤シール部材は、プロセスカートリッジを電子写真画像形成装置本体へ装着するときにユーザーによって除去されて開封される。現像剤シール部材の開封操作においては、現像剤収納枠体と一体的に成形された開封操作用の把手を設け、ユーザーがこの把手を現像剤収納枠体から切り離して現像剤シール部材を開封する構成がある（例えば、特許文献１，２参照）
【特許文献１】特許第３４４５０６９号公報
【特許文献２】特許第３５２４３３４号公報
【発明の開示】
【発明が解決しようとする課題】
【０００５】
本発明は前記従来技術を更に発展させたものであり、現像剤シール部材の開封操作用把手を小さい力で  切り離すことが可能で、且つ、物流時の衝撃等による破損を抑制することができるプロセスカートリッジと現像装置を提供することを目的とする。
【課題を解決するための手段】
【０００６】
上記目的を達成するため、本発明は、電子写真画像形成装置本体に着脱可能なプロセスカートリッジにおいて、電子写真感光体ドラムと、前記電子写真感光体ドラムに形成された静電潜像を現像するための現像手段と、前記現像手段によって前記静電潜像の現像に用いられる現像剤を収納する現像剤収納枠体と、前記現像剤収納枠体に収納された現像剤を前記現像手段へ供給するために、前記現像剤収納枠体に設けられた現像剤供給開口と、前記現像剤供給開口を開放可能に封止する現像剤シール部材と、前記現像剤供給開口を開放するために前記現像剤シール部材を除去する際に把持する把手であって、前記現像剤シール部材の一端が取付けられており、前記現像剤収納枠体から切り離し可能に前記現像剤収納枠体と一体に成形された把手と、前記把手と前記現像剤収納枠体を繋ぐ連結部と、前記連結部に設けられた貫通穴と、を有し、前記把手は、前記貫通穴の部分で前記現像剤収納枠体から切り離し可能であることを特徴とする。
【０００７】
又、本発明は、電子写真画像形成装置に用いられる現像装置において、電子写真感光体ドラムに形成された静電潜像を現像するための現像手段と、前記現像手段によって前記静電潜像の現像に用いられる現像剤を収納する現像剤収納枠体と、前記現像剤収納枠体に収納された現像剤を前記現像手段へ供給するために前記現像剤収納枠体に設けられた現像剤供給開口と、前記現像剤供給開口を開放可能に封止する現像剤シール部材と、前記現像剤供給開口を開放するために前記現像剤シール部材を除去する際に把持する把手であって、前記現像剤シール部材の一端が取付けられており、前記現像剤収納枠体から切り離し可能に前記現像剤収納枠体と一体に成形された把手と、前記把手と前記現像剤収納枠体を繋ぐ連結部と、前記連結部に設けられた貫通穴と、を有し、前記把手は、前記貫通穴の部分で前記現像剤収納枠体から切り離し可能であることを特徴とする。
【発明の効果】
【０００８】
本発明によれば、以下の効果が得られる。
（１）現像剤収納枠体と一体に成形され、現像剤収納枠体から切り離し可能な現像剤シール部材開封操作用の把手において、把手と現像剤収納枠体の連結部に貫通穴を設けたので、把手の切り離す長さが減少し、切り離す力（操作力）が小さくなる。これにより現像剤シール部材開封の操作性が向上する。
（２）把手を切り離す力を小さくするために連結部に貫通穴を設ける構成としたので、連結部全体の幅を小さくする必要がなく、物流時の衝撃等に対する強度を確保し、破損を抑制することができる。
【発明を実施するための最良の形態】
【０００９】
以下、本発明に係るプロセスカートリッジを図面を用いて説明する。
【００１０】
＜実施の形態１＞
（１）画像形成装置全体の説明
先ず、図２を用いて、プロセスカートリッジＢを着脱可能な電子写真画像形成装置（以下、「画像形成装置」と称す）１００について説明する。図２は画像形成装置１００の構成図である。尚、以下、画像形成装置１００として、レーザービームプリンタを例に挙げて説明する。
【００１１】
画像形成装置１００は、電子写真感光体ドラム（以下、「感光体ドラム」と称す）７を有する。画像形成装置１００は、画像形成時に、回転する感光体ドラム７の表面を帯電ローラ８によって一様に帯電する。次いで、レーザーダイオード、ポリゴンミラー、レンズ、反射ミラー（何れも不図示）を有する光学手段１から画像情報に応じたレーザ光を感光体ドラム７へ照射する。これによって、感光体ドラム７に画像情報に応じた静電潜像を形成する。この潜像は、現像ローラ１０によって現像される。
【００１２】
一方、現像剤像の形成と同期して、カセット３ａにセットした記録媒体２を送り出しローラ３ｂ、搬送ローラ対３ｃ，３ｄ，３ｅによって搬送され、転写位置へ送られる。転写位置には、転写手段としての転写ローラ４が配置されている。そして、この転写ローラ４に電圧を印加する。これによって、感光体ドラム７上の現像剤像を記録媒体２に転写する。
【００１３】
現像剤像の転写を受けた記録媒体２は、ガイド３ｆを介して定着手段５へ搬送される。定着手段５は、駆動ローラ５ｃ及びヒータ５ａを内蔵した定着ローラ５ｂを備えている。そして、通過する記録媒体２に熱及び圧力を印加して、現像剤像を記録媒体２に定着する。記録媒体２は、その後、ローラ対３ｇ，３ｈで搬送され、トレイ６へ排出される。前記ローラ３ｂ、搬送ローラ対３ｃ，３ｄ，３ｅ、ガイド３ｆ及びローラ対３ｇ，３ｈ等が記録媒体２の搬送手段３を構成する。
（２）プロセスカートリッジの説明
次に、プロセスカートリッジ（以下、カートリッジと称す）Ｂについて説明する。図３はカートリッジＢの断面図である。
【００１４】
図３において、カートリッジＢは感光体ドラム７を有する。感光体ドラム７は、図２に示すようにカートリッジＢが電子写真画像形成装置本体（以下、「装置本体」と称す）Ａに装着された際に、装置本体Ａから駆動力を受けて回転する。そして、感光体ドラム７の外周面に対向配置して帯電部材としての帯電ローラ８が設けられる。帯電ローラ８は、装置本体Ａからの電圧印加によって、感光体ドラム７を帯電する。又、帯電ローラ８は、感光体ドラム７に接触して設けられており、感光体ドラム７と従動回転する。
【００１５】
カートリッジＢは、現像部材としての現像ローラ１０を有する。現像ローラ１０は、感光体ドラム７の現像領域へ現像剤ｔを供給する。そして、現像ローラ１０は、前記現像剤ｔを用いて、感光体ドラム７に形成された静電潜像を現像する。この現像ローラ１０は、マグネットローラ（固定磁石）１１を内蔵している。又、現像ローラ１０の周面に当接して現像ブレード１２が設けられ、現像ローラ１０の周面に付着する現像剤ｔの量を規定すると同時に、現像剤ｔに摩擦帯電電荷を付与する。
【００１６】
現像剤収納枠体１４内に収納された現像剤ｔは、攪拌部材１５，１６の回転によって現像室１３ａへ送り出される。そして、装置本体Ａから電圧を印加された現像ローラ１０を回転させる。これによって、現像ブレード１２によって摩擦帯電電荷を付与した現像剤層を現像ローラ１０の表面に形成する。そして、その現像剤ｔを潜像に応じて感光体ドラム７へ移転させる。これによって、前記潜像を現像する。
【００１７】
前述の現像動作によって感光体ドラム７に形成された現像剤像は、転写ローラ４によって記録媒体２に転写される。転写後に感光体ドラム７に残留した現像剤ｔは、感光体ドラム７の外周面に当接して配置される弾性クリーニングブレード１７ａによって除去される。そして、クリーニングブレード１７ａによって感光体ドラム７表面から除去された現像剤ｔは、除去現像剤溜め１７ｂに収納される。
【００１８】
尚、カートリッジＢは、現像ユニット１９及びドラムユニット２０にて一体に構成されている。現像ユニット１９は、カートリッジ枠体の一部である現像枠体１３、現像剤収納枠体１４によって構成され、現像ローラ１０、現像ブレード１２、現像室１３ａ、現像剤収納部１４ｃ及び攪拌部材１５、１６等を有する。又、ドラムユニット２０は、カートリッジ枠体の一部であるドラム枠体１８によって構成され、感光体ドラム７、クリーニングブレード１７ａ、除去現像剤溜め１７ｂ及び帯電ローラ８等を有する。
（３）カートリッジの着脱の説明
次に、カートリッジＢの装置本体Ａに対する着脱について説明する。
【００１９】
図４及び図５に示すように、ユーザーが、装置本体Ａに設けられたカートリッジドア９を開く。そして、カートリッジＢを装置本体Ａに設けたカートリッジ装着手段３０に対して取り外し可能に装着する。
【００２０】
本実施の形態の装着手段３０は、装置本体Ａに設けた本体ガイド３０Ｒ１，３０Ｒ２，３０Ｌ１，３０Ｌ２を有する。カートリッジＢを装置本体Ａに装着する際は、カートリッジガイド４０Ｒ１，４０Ｒ２を、本体ガイド３０Ｒ１，３０Ｒ２に沿って、又、カートリッジガイド４０Ｌ１，４０Ｌ２を本体ガイド３０Ｌ１，３０Ｌ２に沿ってカートリッジ装着部３０ａに挿入する。
【００２１】
そして、カートリッジＢは、カートリッジガイド４０Ｒ１が本体ガイド３０Ｒ１の位置決め部３０Ｒ１ａに嵌合して、又、カートリッジガイド４０Ｒ２が本体ガイド３０Ｒ２の位置決め部３０Ｒ２ａに当接して及びカートリッジガイド４０Ｌ１が本体ガイド３０Ｌ１の位置決め部３０Ｌ１ａに嵌合して、又、カートリッジガイド４０Ｌ２が本体ガイド３０Ｌ２の位置決め部３０Ｌ２ａに当接して位置決めされる。このように、装着手段３０によって、カートリッジＢは、カートリッジ装着部３０ａに取り外し可能に装着される。カートリッジＢは、カートリッジ装着部３０ａに装着されることによって画像形成動作が可能となる。
【００２２】
尚、カートリッジＢが装着される際には、駆動力伝達部としてのカップリング３４は退避しており、カートリッジＢの装着に邪魔になることはない。因に、カートリッジドア９を閉じると、駆動力受け部としてのカートリッジＢのカップリング７ａと、装置本体Ａ側の前記カップリング３４は連結する。そして、装置本体Ａから、感光体ドラム７を回転させるための駆動力を受ける。
（４）現像剤収納枠体の説明
次に、図６を用いて現像剤収納枠体１４について説明する。
【００２３】
現像剤収納枠体１４は、上方枠体１４ａと下方枠体１４ｂによって構成されている。そして、この上方枠体１４ａのフランジ１４ａ１を下方枠体１４ｂのフランジ１４ｂ１に合わせて、超音波溶着により溶着リブ（不図示）を溶かして両枠体１４ａ，１４ｂを接合し一体化している。但し、結合方式は超音波溶着に限定されずに、熱溶着、接着等で行っても良い。尚、両枠体１４ａ，１４ｂを結合するのに先立って、下方枠体１４ｂの内部に攪拌部材１５，１６を組み込む。更に、現像剤収納枠体１４には、現像室１３ａに現像剤を送るための現像剤供給開口１４ｄが設けられている。そして、この現像剤供給開口１４ｄを塞ぐように現像剤シール部材２１（後述）が溶着されている。その後、現像剤充填口１４ｅから現像剤を充填し、現像剤充填口１４ｅをキャップ２２で塞ぐ。
（５）現像剤シール部材の説明
次に、現像剤シール部材２１について図６〜図８を参照して説明する。
【００２４】
現像剤シール部材２１は、現像剤収納枠体１４の現像剤供給開口１４ｄを塞ぐように、現像剤供給開口１４ｄの周りの面１４ｆに沿って溶着により貼り付けられている（図６）。そして、この現像剤シール部材２１は現像剤供給開口１４ｄの長手方向一端１４ｇで折り返されて、現像枠体１３の現像剤収納枠体１４と対向する平面の長手方向の端部に貼り付けられたスポンジのような弾性シール部材２３と現像剤収納枠体１４の間を通って外部へ引き出される（図７）。この引き出された現像剤シール部材２１の端部２１ａは、現像剤収納枠体１４と一体に成形された現像剤シール部材２１を開封する際に現像剤収納枠体１４から分離される把手１４ｈの穴１４ｐを通り、溶着等により把手１４ｈに貼り付けられている（図８）。
（６）把手の説明
次に、把手１４ｈについて図１及び図９を参照して更に説明する。尚、各図において図（ｂ）は図（ａ）を一点鎖線ｌ，ｍで切断した断面を示している。又、説明のため、現像剤シール部材２１は不図示としている。
【００２５】
図１に示すように、把手１４ｈは現像剤収納枠体１４と一体に形成され、連結部１４ｉで現像剤収納枠体１４と繋がっている。そして、連結部１４ｉには貫通穴１４ｊが現像剤収納枠体１４と把手１４ｈに跨がって設けられている。又、本実施の形態では、現像剤収納枠体１４側の板厚ａより把手１４ｈの板厚ｂが大きくなっており、段差が形成されている。
【００２６】
カートリッジＢの出荷時には、把手１４ｈは矢印Ｑ方向に折り曲げておく。これにより、現像剤収納枠体１４側と把手１４ｈの連結部１４ｉに亀裂が生じ、薄肉部１４ｋで繋がっている状態になる（図９）。
【００２７】
現像剤シール部材２１を開封する際には、ユーザーが把手１４ｈを矢印Ｐ方向に押し倒すことにより、薄肉部１４ｋが切れて、把手１４ｈが現像剤収納枠体１４から切り離される。前述したように、把手１４ｈを予め矢印Ｑ方向に折り曲げて薄肉部１４ｋで繋がっている状態としておくことで、把手１４ｈを矢印Ｐ方向に押し倒した際に小さい力で分離することができる。
【００２８】
そして、切り離された把手１４ｈを引くことにより現像剤シール部材２１が現像剤収納枠体１４から除去され、現像剤供給開口１４ｄが開放される。
【００２９】
連結部１４ｉの寸法ｓ，ｕ，ｖは、ユーザーが把手１４ｈを切り離す力と、物流時（プロセスカートリッジＢの輸送時等）の衝撃等で把手１４ｈが現像剤枠体１４から切り離されないための強度を考慮して決められる。ユーザーが現像剤シール部材２１を開封する操作性に関しては、把手１４ｈを切り離す力は小さい方が好ましいが、物流時の衝撃等で把手１４ｈが現像剤枠体１４から切り離されないための強度も必要である。把手１４ｈを切り離す力を小さくするには、連結部１４ｉの寸法ｕ，ｖを小さくして切り離し長さ（ｕ＋ｖ）を小さくすれば良い。
【００３０】
又、物流時等に加わる矢印Ｒ，Ｓ方向の力に対する強度を上げるためには、連結部１４ｉの寸法ｓを大きくする必要がある。即ち、把手１４ｈに力Ｒが作用したときを例にすると、連結部１４ｉの下端１４ｒを支点とするモーメントにより、連結部１４ｉの上端１４ｓを矢印Ｔの方向に切り離す力が作用する。従って、力Ｒを一定とすると寸法ｓを大きくすることで、連結部１４ｉの上端１４ｓを切り離す力を力を小さくすることができる。
【００３１】
本発明では、連結部１４ｉに貫通穴１４ｊを設けたので、寸法ｕ，ｖを小さくすることでユーザーが把手１４ｈを切り離す力を小さく抑え、同時に、寸法ｓを大きくすることで、物流時等に加わる矢印Ｒ，Ｓ方向の力に対する強度を上げることができる。
【００３２】
これにより、現像剤シール部材２１の開封の操作性を向上させると同時に、物流時の衝撃等に対する強度を確保し、破損を抑制することができる。
【００３３】
又、図１０及び図１１に示すように、貫通穴１４ｊの一辺を、把手１４ｈと現像剤収納枠体１４の段差に沿って設ける構成としても良い。このような構成としても上述したのと同様の効果が得られる。
【００３４】
尚、図１に示す実施の形態では、把手１４ｈの板厚ｂを２．０ｍｍ、現像剤収納枠体１４の板厚ａを１．５ｍｍとし、連結部１４ｉの寸法ｓを２０ｍｍ、寸法ｕ及びｖを４．５ｍｍとした。
【００３５】
＜実施の形態２＞
次に、図１２を参照して本発明の実施の形態２について説明する。図１２（ｂ）は同図（ａ）を一点鎖線ｎで切断した断面を示している。又、説明のため、現像剤シール部材２１は不図示としている。
【００３６】
本実施の形態では、把手１４ｈと現像剤収納枠体１４の肉厚は等しく、連結部１４ｉに断面がＶ形状の溝１４ｍを設けた。そして、前述の実施の形態１と同様に、連結部１４ｉには貫通穴１４ｊが設けられている。現像剤シール部材２１を開封する際には、ユーザーが把手１４ｈを矢印Ｐ方向に押し倒すことにより、実施の形態１と同様に、薄肉部１４ｎが切れて、把手１４ｈが現像剤収納枠体１４から切り離される。本実施の形態では、溝１４ｍを設けることにより、把手１４ｈと現像剤収納枠体１４とが薄肉部１４ｎで繋がっているので、実施の形態１のように予め把手１４ｈを倒しておかなくても良い。この場合、溝１４ｍの深さを深くする、即ち薄肉部１４ｎを薄くすることによって、把手１４ｈを切り離す力を小さくすることができるが、物流時等の衝撃に対する強度は不利になる。本実施の形態では、把手１４ｈの板厚ｂ及び現像剤収納枠体１４の板厚ａは共に１．５ｍｍとし、連結部１４ｉの寸法は実施の形態１と同様に、寸法ｓを２０ｍｍ、寸法ｕ及びｖを４．５ｍｍとした。又、溝１４ｍの深さｔを１．０ｍｍ、幅ｗを２．０ｍｍとした。
【００３７】
こうした構成においても、連結部１４ｉに貫通穴１４ｊを設けることにより、連結部１４ｉの寸法ｓを大きくすることで物流時等の衝撃に対する強度を上げ、同時に寸法ｕ，ｖを適宜選択することで把手１４ｈを切り離す力を小さくすることができ、実施の形態１と同様の効果を得ることができる。
【図面の簡単な説明】
【００３８】
【図１】本発明の現像剤シール部材の把手を示す斜視図である。
【図２】本発明のプロセスカートリッジを用いる画像形成装置の断面図である。
【図３】本発明のプロセスカートリッジの断面図である。
【図４】本発明のプロセスカートリッジの着脱を示す斜視図である。
【図５】本発明のプロセスカートリッジの着脱を示す斜視図である。
【図６】本発明の現像剤収納枠体の構成を示す斜視図である。
【図７】本発明の現像ユニットの構成を示す斜視図である。
【図８】本発明の現像剤シール部材の把手を示す斜視図である。
【図９】本発明の現像剤シール部材の把手の断面図である。
【図１０】本発明の現像剤シール部材の把手を示す斜視図である。
【図１１】本発明の現像剤シール部材の把手を示す斜視図である。
【図１２】本発明の第２の実施例の現像剤シール部材の把手を示す斜視図である。
【符号の説明】
【００３９】
Ａ    電子写真画像形成装置本体
Ｂ    プロセスカートリッジ
１４  現像剤収納枠体
１４ｈ  把手
１４ｉ  連結部
１４ｊ  貫通穴
１４ｋ  薄肉部
１４ｍ  溝
１４ｎ  薄肉部
１４ｒ  連結部下端
１４ｓ  連結部上端
【図１】
2006078885.tif 000003
【図２】
2006078885.tif 000004
【図３】
2006078885.tif 000005
【図４】
2006078885.tif 000006
【図５】
2006078885.tif 000007
【図６】
2006078885.tif 000008
【図７】
2006078885.tif 000009
【図８】
2006078885.tif 000010
【図９】
2006078885.tif 000011
【図１０】
2006078885.tif 000012
【図１１】
2006078885.tif 000013
【図１２】
2006078885.tif 000014